(57)【特許請求の範囲】
【請求項１】
光源部を取り囲むように反射鏡が配置された照明装置において、
前記反射鏡は頂部開口を有し、当該頂部開口に対応する位置に給電用のソケットが配置されており、
前記光源部は、前記ソケットに螺合するための口金受電部材が一端側に形成された口金磁器部材と、前記反射鏡の前方開口に向けて配置された発光ダイオードが固定された固定基板と、当該口金磁器部材を回転させて口金受電部材を前記ソケットに螺合させるための回転支持部材を有し、
前記固定基板は、当該固定基板の中心に前記回転支持部材が貫挿された状態で、前記回転支持部材に取り付けられ、
前記回転支持部材は、一端側が前記口金磁器部材に固定され、他端側が前記固定基板を貫挿して前記反射鏡の前方開口に向けて配置された発光ダイオードより反射鏡の前方開口方向に向けて延在していることを特徴とする照明装置。
【請求項２】
前記回転支持部材には、前記発光ダイオードの前方に、当該発光ダイオードから放射された光を拡散透過するための拡散透過部材が設けられていることを特徴とする請求項１に記載の照明装置。
【請求項３】
前記固定基板の中心に前記回転支持部材が螺合され、前記固定基板が前記回転支持部材の延存する方向に対して、移動可能になっていることを特徴とする請求項１に記載の照明装置。
【発明の詳細な説明】
【０００１】
【発明が属する技術分野】
本発明は、発光ダイオードを光源とする照明装置に関するものである。
【０００２】
【従来の技術】
従来からスポット照明用の照明装置として、反射鏡の内部に白熱電球が配置された照明装置が使用されている。
これらの照明装置は、白熱電球を利用しているので消費電力が大きく、また、熱的影響があるため、最近では、発光ダイオードを光源とした照明装置が開発されている。
【０００３】
この発光ダイオードを光源とした照明装置の普及には、既に市場に出回っている白熱電球を光源とした照明装置、つまり、反射鏡によって集光された光を一定の方向に指向性を持って放射される照明装置を利用し、白熱電球が切れた場合の光源の取り替え時に発光ダイオードを利用することが最も効果的であると考えられている。
【０００４】
【発明が解決しようとする課題】
しかしながら、このような白熱電球を光源とした照明装置は、図６に示すように反射鏡１の内部に給電用のソケット２が組み込まれており、このソケット２に白熱電球に替えて直接発光ダイオードを装着することはできなかった。
なお、図６には、ソケットに螺合する白熱電球９も合わせて示している。
【０００５】
このような問題を解決するために、特開２００１−５２５０４号には、図７に示すように、ソケット２に装着できる口金受電部材１０に複数の発光ダイオード１１０を配列した基板１２０を取り付けて光源部Ａとすることが記載されている。
しかしながら、このような光源部Ａでは、図６に示すように反射鏡１のソケット２に光源部Ａの口金受電部材１０を螺合させる場合、基板１２０を持って回転させなければならず、深い反射鏡や、反射鏡の開口が小さい場合、基板１２０を持って光源部Ａをソケット２に回転させて取り付けることが困難な場合があった。
【０００６】
そこで本発明は、上記の問題に鑑みてなされたものであって、既に市場に出回っている反射鏡を有する照明装置を利用して、光源に発光ダイオードを用いた照明装置を提供することにある。
【０００７】
【課題を解決するための手段】
上記課題を解決するために、請求項１に記載の照明装置は、光源部を取り囲むように反射鏡が配置された照明装置において、前記反射鏡は頂部開口を有し、当該頂部開口に対応する位置に給電用のソケットが配置されており、前記光源部は、前記ソケットに螺合するための口金受電部材が一端側に形成された口金磁器部材と、前記反射鏡の前方開口に向けて配置された発光ダイオードが固定された固定基板と、当該口金磁器部材を回転させて口金受電部材を前記ソケットに螺合させるための回転支持部材を有し、前記固定基板は、当該固定基板の中心に前記回転支持部材が貫挿された状態で、前記回転支持部材に取り付けられ、前記回転支持部材は、一端側が前記口金磁器部材に固定され、他端側が前記固定基板を貫挿して前記反射鏡の前方開口に向けて配置された発光ダイオードより反射鏡の前方開口方向に向けて延在していることを特徴とする。
【０００８】
請求項２に記載の照明装置は、請求項１に記載の照明装置であって、特に、前記回転支持部材には、前記発光ダイオードの前方に、当該発光ダイオードから放射された光を拡散透過するための拡散透過部材が設けられていることを特徴とする。
【０００９】
請求項３に記載の照明装置は、請求項１に記載の照明装置であって、特に、前記固定基板の中心に前記回転支持部材が螺合され、前記固定基板が前記回転支持部材の延存する方向に対して、移動可能になっていることを特徴とする。
【００１０】
【発明の実施の形態】
図を用いて本発明の照明装置を説明する。
図１は、本発明の照明装置の側面断面図であり、図２は、後述する光源部のみ取り出した正面図である。
【００１１】
反射鏡１は反射面１１が回転楕円面になっており、前方に光を放射する開口１２が形成され、反射鏡１の頂部開口１３に対応する位置に金属製螺旋状の給電用ソケット２が配置されている。ソケット２は、ソケット固定部２１内に固定されており、このソケット固定部２１が反射鏡１に接合されている。
【００１２】
光源部３は、絶縁性の口金磁器部材３１を有し、この口金磁器部材３１の一端側にソケット２に螺合する金属製の口金受電部材３２が形成されている。口金磁器部材３の他端側の前方には、固定基板３３が配置されている。この固定基板３３には、反射鏡１の前方開口１２方向に向けて配置された第１発光ダイオード３４と、反射鏡１の反射面１１方向に向けて配置された第２発光ダイオード３５とが固定されている。さらに、口金磁器部材３１を回転させて口金受電部材３２をソケット２に螺合させるための回転支持部材３６の一端側が口金磁器部材３１の凹部に接着剤によって固定され他端側が反射鏡１の前方開口１２方向に向けて延在している。そして、固定基板３３の中心に回転支持部材３６が貫挿された状態で、固定基板３３が回転支持部材３６に取り付けられている。
【００１３】
つまり、光源部３は、発光ダイオード３４，３５が固定された固定基板３３が回転支持部材３６に取り付けられ状態で、この回転支持部材３６が口金受電部材３２を有する口金磁器部材３１に固定されたものである。
【００１４】
固定基板３３に固定された第１発光ダイオード３４と第２発光ダイオード３５は、図２に示すように、本実施例では第１発光ダイオード３４が反射鏡１の前方開口１２方向に向けて等間隔で６個が並べられており、第２発光ダイオード３５が反射鏡１の反射面１１方向に向けて等間隔で８個並べて接続されている。
【００１５】
そして、発光ダイオード３４，３５は、リード線４を介して固定基板３３の背面に固定された電流制限抵抗５とダイオードブリッジ６に電気的に繋がっており、このダイオードブリッジ６にはリード線７から口金受電部材３２と接点３７に電流が流れ、発光ダイオード３４，３５を点灯させるものである。
【００１６】
このような構成の照明装置によれば、反射鏡１の頂部開口１３に対応する位置のソケット２に光源部３を螺合させて装着する際、回転支持部材３６を手で摘んだ状態で、反射鏡１の開口１２から反射鏡１の内部に光源部３を挿入することができ、挿入後、口金受電部材３２がソケット２の前方に当接した状態の時に、回転支持部材３６を回転させることにより、極めて簡単に口金受電部材３２をソケット２に螺合させて電気的接触を図りつつ、光源部３の固定を行うことができる。
この結果、反射鏡２の反射面が深い形状であっても、回転支持部材３６を摘み回転させるという極めて簡単な作業で、確実に光源部３を反射鏡１に組み込むことができる。
【００１７】
図３は、本発明の照明装置の他の実施例であり、照明装置を構成するケーシングＫ内に反射鏡１とソケット２が別々に固定されたものである。
具体的には、ソケット２は、ソケット固定部２１に固定され、このソケット固定部２１がソケット固定ホルダー２２によってケーシングＫ内に配置固定されている。また、反射鏡１は、適宜の手段によってケーシングＫ内に固定されており、反射鏡１の頂部開口１３に対応する位置にソケット２が位置するようになっている。
なお、光源部３は図１と同様であり、光源部３がソケット２に螺合して固定する機能も図１と同様である。
図１と異なる点は、反射鏡１とソケット固定部２１がそれぞれ独立した部材であって、ケーシングＫにそれぞれ個別に固定されている点だけである。図１と同一符号は同一部分を示すものであり、説明は省略する。
【００１８】
このような図３に示す構成の照明装置によれば、図１の照明装置と同様に、反射鏡１の頂部開口１３に対応する位置のソケット２に光源部３を螺合させて装着する際、回転支持部材３６を手で摘んだ状態で、反射鏡１の開口１２から反射鏡１の内部に光源部３を挿入することができ、挿入後、口金受電部材３２がソケット２の前方に当接した状態の時に、回転支持部材３６を回転させることにより、極めて簡単に口金受電部材３２をソケット２に螺合させて電気的接触を図りつつ、光源部３の固定を行うことができる。
この結果、反射鏡２の反射面が深い形状であっても、回転支持部材３６を摘み回転させるという極めて簡単な作業で、確実に光源部３をケーシングＫ内の反射鏡１に組み込むことができる。
【００１９】
図４は、本発明の照明装置の他の実施例であり、図１に示す照明装置と異なる点は光源部３が異なっている。光源部３の回転支持部材３６には、第１発光ダイオード３４の前方に、第１発光ダイオード３４から放射された光を拡散透過するための拡散透過部材８が設けられている。
【００２０】
この拡散透過部材８は、半透明の乳白色系の薄いプラスチック板であって、第１発光ダイオード３４から放射された光を拡散透過する。つまり、第１発光ダイオードは反射鏡１の開口１２方向に向けて光が放射され、この光を直接見た場合眩しさを感じるが、このように、拡散透過部材８によって光が拡散するため、照明装置から放射される光をやわらげ、照明装置を直接見た場合でも、まぶしさを感じることがないようにしている。
なお、第２発光ダイオード３５から放射された光は、反射面１１によって反射された光となり、その光は反射面１１で若干拡散されるので、眩しさを感じる程度のものではない。
【００２１】
なお、図示しないが、図３に示す照明装置においても、光源部３の回転支持部材３６の第１発光ダイオード３４の前方に、第１発光ダイオード３４から放射された光を拡散透過するための拡散透過部材を設けてもよい。
【００２２】
図５は、固定基板３３が回転支持部材３６に取り付けられる構造を示す説明図である。
回転支持部材３６は、その中間部分にねじ溝Ｐ１を切ってあり、固定基板３３の中心穴の内表面にもねじ溝Ｐ２が切ってある。
つまり、固定基板３３を回転させることにより、固定基板３３が回転支持部材３６の延在する方向、図中矢印方向に対して移動するものである。
そして、回転支持部材３６には、固定基板３３を挟むようにナット９１が螺合され、バネ９２が巻回されている。つまり、ナット９１と固定基板３３を回転させ、最適な位置に固定基板３３を位置させ、この状態のときに、バネ９２の圧力によって固定基板３３をナット９１との間に押圧することにより固定基板３３を固定するものである。この結果、固定基板３３が回転せず、所定の位置で固定される。
【００２３】
このように固定基板３３が移動することができる利点は、図１、及び図３に示すように、ソケット２のソケット固定部２１と口金磁器部材３１の一部がそれぞれ位置決めの役割をするテーパー部Ｔで当接することにより光源部３の位置が反射鏡１内で決定される。この際、反射鏡１の焦点を含む平面Ｓに発光ダイオード３４，３５が正しく位置しなければ反射鏡１による集光効率が悪くなるので、光源部３を反射鏡１に込みこむ前に、予め固定基板３３を回転させて回転支持部材３６に対して移動させ、発光ダイオード３４，３５の位置を微調整しておく。そして、この状態で、光源部３を反射鏡１にネジこみ固定すると、最適な位置に発光ダイオード３４，３５を位置させることができ、最適な集光効率をだすことができるものである。
【００２４】
【発明の効果】
以上説明したように、本発明の照明装置によれば、既に市場に出回っている反射鏡を有する照明装置を利用して、反射鏡に光源として発光ダイオードを用いた光源部を組み込む際に、光源部に形成された回転支持部材を摘み光源部を挿入して回転させることができるので、極めて簡単に、しかも、どのような反射鏡の形状であっても確実に光源部を反射鏡に組み込むことができる。
【００２５】
さらに、反射鏡の開口方向に向けて配置された発光ダイオードの前方に拡散透過部材が設けられているので、照明装置から放射される光をやわらげ、照明装置を直接見た場合でも、まぶしさを感じることがない。
【００２６】
また、発光ダイオードが固定されている固定基板が、口金磁器部材に固定されている回転支持部材に対して移動可能になっているので、光源部を反射鏡に組み込む前に予め発光ダイオードの位置を反射鏡に対して最適な位置に微調整することができるので、適切な集光効率をだすことができる。
【図面の簡単な説明】
【図１】本発明の照明装置の側面断面図である。
【図２】図１の照明装置の光源部のみ取り出した正面図である。
【図３】本発明の他の照明装置の側面断面図である。
【図４】本発明の他の照明装置の側面断面図である。
【図５】本発明の光源部における固定基板が回転支持部材に取り付けられる構造を示す説明図である。
【図６】従来の白熱電球を光源とした照明装置発明の説明図である。
【図７】従来の発光ダイオードを利用した光源部の説明図である。
【符号の説明】
１      反射鏡
１１    反射面
１２    前方開口
２      ソケット
２１    ソケット固定部
２３    ソケットホルダー
３１    口金磁器部材
３２    口金受電部材
３３    固定基板
３４    第１発光ダイオード
３５    第２発光ダイオード
３６    回転支持部材
８      拡散透過部材
９１    ナット
９２    バネ
Ｋ      ケーシング
【図１】
0003804523.tif 000002
【図２】
0003804523.tif 000003
【図３】
0003804523.tif 000004
【図４】
0003804523.tif 000005
【図５】
0003804523.tif 000006
【図６】
0003804523.tif 000007
【図７】
0003804523.tif 000008